【事件の表示】
　特願２０１６−　　１６９０「脳磁計装置」拒絶査定不服審判事件〔平成２９年　７月１３日出願公開、特開２０１７−１２１３５５、請求項の数（２）〕について、次のとおり審決する。
【結　論】
　原査定を取り消す。
　本願の発明は、特許すべきものとする。
【理　由】
第１　手続の経緯
　本願は、平成２８年１月７日の出願であって、令和元年５月２０日付けで拒絶理由が通知され、同年７月２６日付けで意見書及び手続補正書が提出され、同年８月２２日付けで拒絶査定されたところ、同年１１月１４日に拒絶査定不服審判の請求がなされ、同時に手続補正がなされたものである。その後当審において令和２年４月２８日付けで拒絶理由（以下、「当審拒絶理由」という。）が通知され、同年８月７日付けで意見書及び手続補正書が提出されたものである。
第２　原査定の概要
　原査定（令和元年８月２２日付け拒絶査定）の概要は次のとおりである。
１　令和元年７月２６日提出の手続補正書により補正された請求項１に係る発明は、以下の引用文献１−３に基づいて、その発明の属する技術の分野における通常の知識を有する者（以下、「当業者」という。）が容易に発明できたものであるから、特許法第２９条第２項の規定により特許を受けることができない。
２　令和元年７月２６日提出の手続補正書により補正された請求項３に係る発明は、以下の引用文献１−４に基づいて、当業者が容易に発明できたものであるから、特許法第２９条第２項の規定により特許を受けることができない。
引用文献等一覧
１．国際公開第２００６／０６７８２８号
２．特開２００１−０４２０１６号公報
３．特開平０４−１９４７６５号公報
４．特開２００９−２０４２４１号公報
第３　本願発明
　本願請求項１−２に係る発明（以下、それぞれ「本願発明１」−「本願発明２」という。）は、令和２年８月７日付けの手続補正で補正された特許請求の範囲の請求項１−２に記載された事項により特定される発明であり、本願発明１−２は以下のとおりの発明である。
「【請求項１】
　生体から発生する磁場を検出するＳＱＵＩＤセンサ、及び、前記ＳＱＵＩＤセンサを包囲している超伝導体によって構成された超伝導磁気シールド装置、を有する超伝導シールド型脳磁計と、
　前記超伝導シールド型脳磁計が搭載された搭載部を有する車両と、を備え、
　前記超伝導シールド型脳磁計は、前記搭載部に搭載されると共に前記超伝導磁気シールド装置を冷却する冷凍機と、前記冷凍機の運転及び停止を制御する制御部と、を有し、
　前記冷凍機は、前記超伝導磁気シールド装置の外部に設けられており、
　前記制御部は、前記ＳＱＵＩＤセンサによる前記磁場の検出時に、前記冷凍機を停止させる、脳磁計装置。
　　【請求項２】
　前記超伝導シールド型脳磁計は、前記超伝導磁気シールド装置を冷却する冷凍機を有し、
　前記搭載部は、平面視において長尺状に形成されており、
　前記超伝導磁気シールド装置は、前記搭載部の長手方向における一端側に設置されており、
　前記冷凍機は、前記搭載部の前記長手方向における他端側に搭載されている、請求項１に記載の脳磁計装置。」
第４　引用文献の記載事項
１　引用文献１
（１）引用文献１の記載事項
　原査定の拒絶の理由及び当審拒絶理由で引用された本願の出願日前に頒布された又は電気通信回線を通じて公衆に利用可能となった引用文献である、国際公開第２００６／０６７８２８号（２００６年６月２９日出願公開。以下「引用文献１」という。）には、次の記載がある（下線は当審にて付した。）。
「背景技術
[0002]　
ＳＱＵＩＤを液体ヘリウムに漬けて極低温下で脳磁界センサとして使用した脳磁界計測装置
　図４を参照する。この従来の超伝導磁気シールド脳磁界計測装置は中空の円筒状真空熱絶縁構造体１１と、循環冷却装置１２と、極低温容器１３と、頂部包囲体１４とを備えている。真空熱絶縁構造体１１は高温超伝導体の第１の包囲体１１１と高透磁率磁性体の第２の包囲体１１２とを二重壁内に収容し、中空円筒状の構造となっている。循環冷却装置１２は真空熱絶縁構造体１１の二重壁の空間に配置された高温超伝導体の第１の包囲体１１１を冷却する冷却媒体を循環させている。この第１の包囲体１１１には細い冷却パイプが巻きついていて、その冷却パイプにヘリウムガスを循環させて包囲体を冷却し外部磁場の侵入を防いでいる。
[0003]　極低温容器１３は円筒状真空熱絶縁構造体１１内に配置され、それに固定されている。頂部包囲体１４は金属良導体（電磁波遮蔽）と磁性材料（磁場遮蔽）の二重構造の包囲体（内部は中空）となって真空熱絶縁構造体１１の頂部に嵌合している。極低温容器１３の下方に被検者の頭部を包囲する頭部収容域１３１が限定されており、そして極低温容器１３の内部で頭部収容域１３１の周囲でＳＱＵＩＤ磁気センサ１５が支持部材２０に配置されている。この極低温容器１３には極低温媒体である液体ヘリウムを充填している。
[0004]　この真空熱絶縁構造体１１を床上に据え付け、それの下方開口に非磁性体の椅子１７を配置する。真空熱絶縁構造体１１の頂部に磁性材料の頂部包囲体１４を嵌合させたのは頂部から電磁波と地磁気が侵入するのを防ぐためである。この頂部包囲体１４を取り外して極低温容器１３に蒸発した液体ヘリウムを補充する。
・・・
[0006]　真空熱絶縁構造体１１と極低温容器１３とについてさらに述べる。高温超伝導体（ビスマス・ストロンチューム・カルシューム・銅の酸化物：ＢＳＣＣＯ）の第１の包囲体１１１を液体窒素温度付近まで低下（１０３Ｋ以下）させると、この高温超伝導体の内側の空間には磁力線が外部から入り込むことはできなくなる。しかし、真空熱絶縁構造体１１の内部空間には第１の包囲体１１１の温度を低下させる前に既に地球磁場の磁束が入り込んでおり、その磁束が第１の包囲体１１１にピン止めされて、トラップされている。この状態では極低温容器１３が第１の包囲体１１１に対して縦方向に移動しても、横方向に移動してもＳＱＵＩＤ磁気センサ１５を横切るピン止め静磁界の磁力線の成分は変化し、これがノイズ信号となって現れる。このノイズ信号を排除すると言う課題は、構造体１１と極低温容器１３とを相互に動かないよう固定することにより、そして脳磁界計測装置を設置した床から構造体１１への振動伝達を完全に遮断して極低温容器１３が構造体１１内の包囲体１１１に対し僅かでも移動しないようにすることによって解決している（特許文献２参照）。具体的には構造体１１の内壁と極低温容器１３の外壁との間隙を埋める枕構造体を使用し、さらに構造体１１を除振支持体を介して床上に支持している。除振支持体は床からの振動を吸収する振動吸収手段と床からの振動を検知してフイードバック制御により振動を相殺する除振機構とを備えている。
・・・
発明の開示
[0008]　本発明の目的は超伝導磁気シールド脳磁界計測装置におけるこの冷媒の保守管理上の問題を現実的な極低温冷凍機の冷却能力を考慮して解決し、併せて振動による計測への雑音をも排除することのできる構造簡単な計測構造体を提供することにある。
[0009]　再び図４を参照する。極低温容器１３とこれを包囲する中空の円筒状真空熱絶縁構造体１１との間には環状の空間があって、この包囲空間は構造体１１の外側の周囲環境とつながっている。そのため、矢で示すように極低温容器１３に熱が侵入して液体ヘリウムの蒸発を促進していることを発見した。本発明はこの発見に基礎を置いている。この外部からの熱侵入を阻止するには中空の円筒状真空熱絶縁構造体１１と極低温容器１３とを一体構造として包囲空間をなくすれば足りる。事実、この一体構造によって液体ヘリウムの消費は半減する。また、この一体構造にすることは円筒状真空熱絶縁構造体１１と極低温容器１３との相対的微動をも排除して床からの振動によるノイズ発生の原因も除去することになって、
除振装置は実質的には不要となる。
・・・
[0017]　この構成によりヘリウムガス冷却ポンプを作動させてＳＱＵＩＤ磁気センサと磁場遮蔽の高温超伝導体の第１の包囲体とを冷却することができる。このようにして取り扱い難い液体窒素や液体ヘリウムなどの冷媒を用いる必要はなくなり、冷凍機運転のための電気エネルギーのみで脳磁界計測装置の連続稼働が可能になる。冷凍機は商用電源（１００ボルト）で作動し、小型でもあり、また
計測構造体は振動に対してセンサを不感としているので脳磁界計測装置を車両に搭載して巡回診断に使用することができる。
発明を実施するための最良の形態
[0018]　図１を参照する。
本発明の超伝導磁気シールド脳磁界計測装置
[0019]　包囲外壁１１４と第１と第２の包囲内壁１１５、１１６との間に形成された環状空間に
高温超伝導体の第１の包囲体１１１
[0020]　第１の包囲内壁１１５の底と第２の包囲内壁１１６の天井とを対向させて形成した真空隔壁部１１３の中央に凹所をつくって人体の頭部を包囲する頭部収容域１３１を形成し、この収容域に沿って上部空間Ｓ１の内側にＳＱＵＩＤ磁気センサ１５を配置する。２０はこれらのセンサ１５の支持体である。
[0021]　上部空間Ｓ１では液体ヘリウムＨを介してＳＱＵＩＤ磁気センサ１５を冷却し、環状真空空間内では高温超伝導体の１の包囲体１１１の冷却蛇菅（図示せず）に循環冷却装置１２からヘリウムガスを送って冷却する。被験者は頭部を凹所に入れて非金属性の椅子１７に腰掛ける。
[0022]　本発明の脳磁界計測装置と従来技術の脳磁界計測装置との違いを明確にするために、図５Ａ及び図５Ｂを参照する。図５Ａ及び図５Ｂは、ぞれぞれ、図１及び図４に示すような本発明及び従来技術の脳磁界計測装置の計測構造体の構造を図解的に示したものである。本発明の脳磁界計測装置は、図５Ａに示すように、包囲外壁１１４と、第１の包囲内壁１１５と、第２の包囲内壁１１６とから成る１つの真空室Ｖ１を有する。これに対し、従来の脳磁界計測装置は、図５Ｂに示すように、円筒状真空熱絶縁構造体１１と極低温容器１３が分離している。特に、極低温容器１３が真空室Ｖ３を有する構造においては、円筒状真空熱絶縁構造体１１の真空室Ｖ２と極低温容器１３の真空室Ｖ３も、分離している。なお、図５Ａ及び図５Ｂでは、図解上、真空シールを形成する各真空壁の端部が開放されて描かれているが、実際には、これら各真空壁の端部は互いに密閉され、Ｏ−シールリングなどで真空シールされる。
[0023]　図２を参照する。
本発明の第２の実施例であるこの計測構造体１は、第１の包囲内壁１１５が限定する上部空間Ｓ１に断熱膨張室１１７を設けた以外は図１の第１の実施例と同じである。
これにより冷媒の補充のために計測を中断することなく脳磁界計測装置を連続稼働させることができる。
[0024]　
図３を参照する。本発明の第３の実施例であるこの計測構造体１は、断熱膨張室１１７とＳＱＵＩＤセンサ１５の支持体２０とを接続する熱伝導体１１８を設けた以外は図２の第２の実施例と同じである。
第１の包囲体１１１を冷却するヘリウムガスと断熱膨張室１１７に供給するヘリウムガスとは循環冷却装置１２、２１４から供給され、これらの冷却装置を運転する電気エネルギーのみで脳磁界計測装置は連続稼働することができる。
産業上の利用可能性
[0025]　本発明の計測構造体により超伝導磁気シールド脳磁界計測装置は現実的な使用に適するものとなった。特に、第２、第３の実施例では商業電源を利用できる環境で循環冷却装置のみを作動させて脳磁界装置を連続稼働できる。また、
ヘリウムガスのみを冷却媒体として利用する第３実施例では脳磁界装置を車両に搭載した状態で作動させ
[図1]
[図3]
（２）記載事項の整理
　上記[0024]において「本発明の第３の実施例であるこの計測構造体１は、断熱膨張室１１７とＳＱＵＩＤセンサ１５の支持体２０とを接続する熱伝導体１１８を設けた以外は図２の第２の実施例と同じである。」、[0023]に「本発明の第２の実施例であるこの計測構造体１は、第１の包囲内壁１１５が限定する上部空間Ｓ１に断熱膨張室１１７を設けた以外は図１の第１の実施例と同じである。」と記載されていることに鑑みれば、第３の実施例における「第１の包囲体１１１」に関する構成は第１の実施例における「第１の包囲体１１１」に関する構成と同じであり、そのため[0024]には「第１の包囲体１１１」の材質は記載されていないものの、第３の実施例の「第１の包囲体１１１」の材質は、第１の実施例の「第１の包囲体１１１」の材質と同じであるといえる。そして、第１の実施例には「高温超伝導体の第１の包囲体１１１」（[0019]）という記載があるから、第３の実施例の「第１の包囲体１１１」は高温超伝導体からなると認められる。
（３）図１、図３から見てとれる事項
ア　図１からは、「第１の包囲体１１１」がＳＱＵＩＤセンサ１５を包囲していることが見てとれる。そして、図１は第１の実施例、図３は第３の実施例を示した図面であること、及び、上記（２）にて述べたように第３の実施例における「第１の包囲体１１１」に関する構成は第１の実施例における「第１の包囲体１１１」に関する構成と同じであることから、図３には「第１の包囲体１１１」の符号は付されていないが図１と同じ箇所に「第１の包囲体１１１」が配置され、ＳＱＵＩＤセンサ１５を包囲しているといえる。
イ　図３からは、「第１の包囲体１１１」を冷却するヘリウムガスを供給する「循環冷却装置１２」が「第１の包囲体１１１」の外側に設けられていることが見てとれる。
（４）引用発明
　上記（１）〜（３）から、上記引用文献１（特に下線部参照）には、以下の発明（以下「引用発明」という。）が記載されていると認められる。
「超伝導磁気シールド脳磁界計測装置であって、
　ＳＱＵＩＤを脳磁界センサとして使用し、
　ＳＱＵＩＤセンサ１５と、
　ＳＱＵＩＤセンサ１５を包囲する高温超伝導体からなる第１の包囲体１１１と、
　第１の包囲体１１１を冷却するヘリウムガスを供給する循環冷却装置１２と、
　を有し、
　前記循環冷却装置１２は第１の包囲体１１１の外側に設けられており、
　前記循環冷却装置１２を運転する電気エネルギーのみで連続稼働することができ、
　車両に搭載した状態で作動させる超伝導磁気シールド脳磁界計測装置。」
２　引用文献２の記載事項
　原査定に引用された引用文献２の段落【００２７】及び図３には、「生体磁場をＳＱＵＩＤセンサにより測定する装置において、振動による磁場ノイズが生体磁場測定の障害となる場合には、ＳＱＵＩＤセンサを冷却するための冷凍機を停止させる。」という技術的事項が記載されている。
３　引用文献３の記載事項
　原査定に引用された引用文献３の第３頁左下欄第２行−第５行には、「生体からの磁界をＳＱＵＩＤセンサーにより計測する装置において、磁界の計測をＳＱＵＩＤセンサを冷却するための冷凍機の停止時に行うことにより、計測時における冷凍機からの磁気ノイズを無くす。」という技術的事項が記載されている。
４　引用文献４の記載事項
　原査定に引用された引用文献４の段落【００２２】には、「生体磁場をＳＱＵＩＤセンサにより測定する装置において、凝縮用冷凍機及び磁気シールド用冷凍機による磁気的及び機械的なノイズがＳＱＵＩＤに及ばないように、凝縮用冷凍機及び磁気シールド用冷凍機を、ＳＱＵＩＤから離して設置する。」という技術的事項が記載されている。
第５　対比・判断
１　本願発明１について
（１）対比
ア　引用発明の「ＳＱＵＩＤセンサ１５」は、脳磁界センサとして用いられるものであり、脳磁界は生体から発生する磁場であるから、本願発明１の「生体から発生する磁場を検出するＳＱＵＩＤセンサ」に相当する。
イ　引用発明の「高温超伝導体からなる第１の包囲体１１１」は磁場を遮蔽するものであるから、本願発明１の「ＳＱＵＩＤセンサを包囲している超伝導体によって構成された超伝導磁気シールド装置」に相当する。
ウ　引用発明の「超伝導磁気シールド脳磁界計測装置」は、本願発明１の「超伝導シールド型脳磁計」に相当する。
エ　引用発明の「超伝導磁気シールド脳磁界計測装置」は、「車両に搭載した状態で作動させる」装置であるところ、その際に当該装置が搭載される箇所が、本願発明１の「超伝導シールド型脳磁計が搭載された搭載部」に相当する。またこの時、引用発明の「循環冷却装置１２」は「超伝導磁気シールド脳磁界計測装置」を構成する部材であるから、「循環冷却装置１２」も上記箇所であって、「第１の包囲体１１１」の外側に搭載されることとなる。
オ　引用文献１には「循環冷却装置１２」の「運転及び停止を制御する制御部」について記載がないが、[0024]に「これらの冷却装置を運転する電気エネルギーのみで・・・」と記載されているように「循環冷却装置１２」は電気エネルギーによって運転するところ、電気エネルギーによって運転される冷却装置であれば通常、その制御を行う部分があり、当該部分が本願発明１の「制御部」に相当する。
カ　引用発明の「超伝導磁気シールド脳磁界計測装置」と、当該「超伝導磁気シールド脳磁界計測装置」を搭載した「車両」とを含む装置全体が、本願発明１の「脳磁計装置」に相当する。
キ　以上のことから、本願発明１と引用発明との一致点及び相違点は次のとおりである。
　【一致点】
「生体から発生する磁場を検出するＳＱＵＩＤセンサ、及び、前記ＳＱＵＩＤセンサを包囲している超伝導体によって構成された超伝導磁気シールド装置、を有する超伝導シールド型脳磁計と、
　前記超伝導シールド型脳磁計が搭載された搭載部を有する車両と、を備え、
　前記超伝導シールド型脳磁計は、前記搭載部に搭載されると共に前記超伝導磁気シールド装置を冷却する冷凍機と、前記冷凍機を制御する制御部と、を有し、
　前記冷凍機は、前記超伝導磁気シールド装置の外部に設けられている、脳磁計装置。」
　【相違点】
　本願発明１の「制御部」は、「冷凍機の運転及び停止を制御」し、「ＳＱＵＩＤセンサによる磁場の検出時に、冷凍機を停止させる」のに対し、引用発明の「循環冷却装置１２」を制御する部分は「循環冷却装置１２」の「運転及び停止を制御」するものではなく、また、「ＳＱＵＩＤセンサによる磁場の検出時に、冷凍機を停止させる」ものではない点。
（２）判断
　上記相違点について検討する。
ア　引用文献１の[0009]には「本発明はこの発見に基礎を置いている。この外部からの熱侵入を阻止するには中空の円筒状真空熱絶縁構造体１１と極低温容器１３とを一体構造として包囲空間をなくすれば足りる。事実、この一体構造によって液体ヘリウムの消費は半減する。また、この一体構造にすることは円筒状真空熱絶縁構造体１１と極低温容器１３との相対的微動をも排除して床からの振動によるノイズ発生の原因も除去することになって、
除振装置は実質的には不要となる。
計測構造体は振動に対してセンサを不感としているので脳磁界計測装置を車両に搭載して巡回診断に使用することができる。
イ　引用文献２に記載された発明は磁気シールドルーム６０１を有するものの、ＳＱＵＩＤ磁束計２と冷凍機１０４は共に磁気シールドルーム６０１の内部に設けられ、ＳＱＵＩＤ磁束計２と冷凍機１０４の間に磁気をシールドする部材を有しない。また、引用文献３に記載された発明も磁気をシールドする部材を有しない。これに対し、引用発明の循環冷却装置１２は第１の包囲体１１１の外側に設けられており、循環冷却装置１２が磁場ノイズを発生しても第１の包囲体１１１により磁場ノイズは遮蔽される。
ウ　そうすると、「生体磁場をＳＱＵＩＤセンサにより測定する装置において、振動による磁場ノイズが生体磁場測定の障害となる場合には、ＳＱＵＩＤセンサを冷却するための冷凍機を停止させる。」及び「生体からの磁界をＳＱＵＩＤセンサーにより計測する装置において、磁界の計測をＳＱＵＩＤセンサを冷却するための冷凍機の停止時に行うことにより、計測時における冷凍機からの磁気ノイズを無くす。」という技術的事項が引用文献２，３に記載されているように本願出願日前において公知の事項であったとしても、引用発明においては振動によるノイズへの対策がなされているのであるから、上記技術的事項を採用してあえて循環冷却装置１２を停止させる必要がないものである。むしろ引用発明は、[0023]に「・・・冷媒の補充のために計測を中断することなく脳磁界計測装置を連続稼働させることができる。」、[0024]に「・・・これらの冷却装置を運転する電気エネルギーのみで脳磁界計測装置は連続稼働することができる。」と記載されているとおり、連続稼働させるものであるから、第１の包囲体１１１を冷却するための循環冷却装置１２を停止させることには阻害要因があるといえる。
エ　引用文献４に記載されている技術的事項は、上記「第４」の「４」に述べたように、「ＳＱＵＩＤセンサによる磁場の検出時に、冷凍機を停止させる」という上記相違点に係る構成とは異なるものであり、これら引用文献には上記相違点に係る構成は記載されていない。
オ　したがって、本願発明１は、当業者であっても引用発明、引用文献２〜４に記載された技術的事項に基づいて容易に発明できたものであるとはいえない。
２　本願発明２について
　本願発明２も、本願発明１の「制御部は、ＳＱＵＩＤセンサによる磁場の検出時に、冷凍機を停止させる」と同一の構成を備えるものであるから、本願発明１と同じ理由により、当業者であっても、引用発明、引用文献２〜４に記載された技術的事項に基づいて容易に発明できたものとはいえない。
３　小括
　本願発明１−２は、原査定における引用文献１−４に基づいて、当業者が容易に発明できたものではないから、原査定を維持することはできない。
第６　当審拒絶理由について
１　当審拒絶理由の概要は次のとおりである。
（１）令和元年１１月１４日提出の手続補正書により補正された請求項２に係る発明は、以下の引用文献Ａ−Ｂに基づいて、当業者が容易に発明できたものであるから、特許法第２９条第２項の規定により特許を受けることができない。
（２）令和元年１１月１４日提出の手続補正書により補正された請求項３に係る発明は、以下の引用文献Ａ−Ｃに基づいて、当業者が容易に発明できたものであるから、特許法第２９条第２項の規定により特許を受けることができない。
引用文献等一覧
Ａ．国際公開第２００６／０６７８２８号（拒絶査定における引用文献１）
Ｂ．特開平０６−３０４１６４号公報（当審において新たに引用した文献）
Ｃ．特開２００９−２０４２４１号公報（拒絶査定における引用文献４）
２　判断
　令和２年８月７日になされた手続補正によって、請求項２は削除された（請求項２を引用する請求項３についても削除された）ことにより、上記当審拒絶理由は解消された。
第７　むすび
　以上のとおり、原査定の理由及び当審の拒絶の理由によって、本願を拒絶することはできない。
　他に本願を拒絶すべき理由を発見しない。
　よって、結論のとおり審決する。